(57)【特許請求の範囲】
【請求項１】
上面に取出し口形成用の環状の裂開用ミシン目線が形成された紙箱の前記上面の内側面に、スリットを有するフィルムシートを、そのスリットが前記裂開用ミシン目線で囲まれる範囲内に位置するようにして貼付された収納箱と、この収納箱内に収納されたティシュペーパーが折り畳み積層されたティシュペーパー束と、を有するティシュペーパー製品であって、前記フィルムシートは、フィルムシート基材と、香料の徐放性が異なる第１香料層と第２香料層とを有し、紙箱底側に対向する面に、前記香料の徐放性が異なる第１香料層と第２香料層とが、ティシュペーパー束に対面するようにして設けられている、ことを特徴とする香り付きティシュペーパー製品。
【請求項２】
第１香料層が、香料が封入されたマイクロカプセルを担持させた層であり、かつ、スリットを含むスリット近傍領域に設けられ、第２香料層が、第１香料層に含有する香料よりも揮発性の低い香料を含む香料インキで形成された層であり、
かつ、収納箱の上面の内側面が、ガスバリア性樹脂又はガスバリア性シートによって被覆されている、請求項１記載の香り付きティシュペーパー製品。
【発明の詳細な説明】
【技術分野】
【０００１】
本発明は、ティシュペーパー製品、特に香りを発する香り付きのティシュペーパー製品に関する。
【背景技術】
【０００２】
複数枚のティシュペーパーからなる束が収納箱内に収納され、その収納箱（カートン箱或いはカートンとも称される）の上面に設けられた取出し口からティシュペーパーを順次一枚（一組とされたものも含む）ずつ引き出して使用するティシュペーパー製品はよく知られる。その取り出し方法は、一枚を取り出すとそれに連続して次ぎの一枚が取出し口から引き出されるポップアップ式となっている。
【０００３】
このティシュペーパー製品の中には、香りを発するようにした製品があり、消費者に受け入れられている。この香り付きのティシュペーパー製品は、一時的に強い香りがするものより、継続的にほのかに香るものを消費者が好む傾向にあり、香り付きティシュペーパー製品では、使用開始後にティシュペーパーを使いきるまで安定して継続的にほのかに香りがすることが求められる。
【０００４】
従来の香り付きのティシュペーパー製品は、ティシュペーパー自体に香料を塗布するのが一般的であった。
【０００５】
しかし、この従来製品は、ティシュペーパーを製造するにあたり製造設備全体に香料の香りが付着することになるため、香り付きティシュペーパーを製造する専用ラインが必要であり、製造コストが高くなるという問題があり、また、香料を塗布するにあたり溶媒が必要であり、その溶媒に水を用いると紙が硬くなり、油性溶媒を用いるとべたつき感のあるものとなるなどの問題があった。
【０００６】
さらに、従来製品は、収納箱内で蒸散した香料がカートン原紙にも吸収されてしまうため、保管期間が長期に渡る場合など、開封時には十分な香りが既に得られなくなっていることがあった。
【０００７】
このように従来の香り付きティシュペーパー製品については、製造コストが高い、ある程度保管した後の香りの発現が不十分である、ほのかな香りを継続的に安定して発することに関し十分に満足するものとはいえないという問題があり、これらの問題の改善が望まれている。
【先行技術文献】
【特許文献】
【０００８】
【特許文献１】特開２００７−５０９０５号公報
【特許文献２】特開２００９−１３３４号公報
【発明の概要】
【発明が解決しようとする課題】
【０００９】
そこで、本発明の主たる課題は、製造コストが安く、ある程度の保管期間後においても香りが十分に感じられ、しかも、ほのかな香りが継続的に安定して発せられる香り付きティシュペーパー製品を提供することにある。
【課題を解決するための手段】
【００１０】
上記課題を解決した本発明は以下のとおりである。
〔請求項１記載の発明〕
上面に取出し口形成用の環状の裂開用ミシン目線が形成された紙箱の前記上面の内側面に、スリットを有するフィルムシートを、そのスリットが前記裂開用ミシン目線で囲まれる範囲内に位置するようにして貼付された収納箱と、この収納箱内に収納されたティシュペーパーが折り畳み積層されたティシュペーパー束と、を有するティシュペーパー製品であって、前記フィルムシートは、フィルムシート基材と、香料の徐放性が異なる第１香料層と第２香料層とを有し、紙箱底側に対向する面に、前記香料の徐放性が異なる第１香料層と第２香料層とが、ティシュペーパー束に対面するようにして設けられている、ことを特徴とする香り付きティシュペーパー製品。
【００１１】
〔請求項２記載の発明〕
第１香料層が、香料が封入されたマイクロカプセルを担持させた層であり、かつ、スリットを含むスリット近傍領域に設けられ、第２香料層が、第１香料層に含有する香料よりも揮発性の低い香料を含む香料インキで形成された層であり、
かつ、収納箱の上面の内側面が、ガスバリア性樹脂又はガスバリア性シートによって被覆されている、請求項１記載の香り付きティシュペーパー製品。
【００１２】
【００１３】
〔作用効果〕
本発明のティシュペーパー製品は、フィルムシートの紙箱底側に対向する面に、香料の徐放性が異なる第１香料層と第２香料層とを、ともに露出してティシュペーパー束に対面するように設けた。したがって、第１香料層及び第２香料層から蒸散する香料が収納箱内に広がり、ティシュペーパー束に香りを付与する。ティシュペーパーに直接的に香料を塗布する場合と比較して、ティシュペーパーをほのかに香るようにすることができる。
【００１４】
そして、第１香料層を香料が十分に蒸散するまでに時間のかかる層、或いは蒸散期間の長い層とし、第２香料層を初期から香料が蒸散しやすい層とするなど、徐放性に差を持たせることで、ティシュペーパー製品の保管期間による香り低下が回避され、使用開始時には保管期間に関係なく香りを発するようにすることができる。
【００１５】
なお、本発明における、徐放性とは、香料が蒸散して香りを発する期間（持続時間）と、香料が蒸散開始するまでの期間とそのメカニズムを含む意味である。
【００１６】
特に、本発明では、第１香料層を、香料を封入したマイクロカプセルを担持させた層としてスリットを含むスリット近傍領域に設け、第２香料層を第１香料層における香料よりも揮発性の低い香料を含む香料インキで形成された層とするのがよい。また、香料インキにシリカを配合したり、香料インキで形成した層を塩化ビニリデンなどのガスバリア樹脂でコートしたりするなどして揮発性をコントロールすることができる。
【００１７】
香料インキは、油性成分に香料を分散させたものであり、香料の蒸散が緩やかに進行するため、保管期間が長期にわたる場合であっても、ティシュペーパー束に香りが継続的に付与され、長期間保管時における香り低下のおそれが小さい。特に、第１香料層よりも揮発性の低い香料としたり、塩化ビニリデンでコートするなどして揮発性を遅くしたりすることで、その効果が顕著となる。
【００１８】
一方、マイクロカプセルに香料を封入した場合には、マイクロカプセルが崩壊しない限り香料が蒸散しない。本発明では、マイクロカプセルをスリット近傍に位置させているため、ティシュペーパー引き出し時にマイクロカプセルとティシュペーパーが摺れてマイクロカプセルが崩壊して香料が蒸散する。したがって、この第１香料層により、使用開始が何時であっても使用開始時から香料による香気の効果が得られる。
【００１９】
以上のように第１香料層と第２香料層を設けることで、ある程度保管した後であっても香りの発現が十分であり、また、使用開始後にほのかな香りを継続的に発するようにすることができる。なお、マイクロカプセルに香料を封入した場合には、使用開始から徐々に香料の効果が薄れることになるが、本発明では、香料インキから蒸散される香料によって香気が収納箱内に留まっているため、使用にともなって香気が薄れる感じは低減される。
【００２０】
また、本発明においては、紙箱の上面の内側面をガスバリア性樹脂或いはガスバリア性シートにより被覆するのがよい。このようにすると、各香料層から蒸散した香料が紙箱に吸収されず、紙箱内に留まるようになる。特に、上記の第１香料層を香料を封入したマイクロカプセルを担持させた層とし、第２香料層と香料インキにより形成したものと合わせることで、とりわけ継続的かつ安定的にほのかな香りを発するものとなる。
【００２１】
すなわち、香料インキからなる第２香料層から発せられる香料が効果的に収納箱内に留まるとともに、十分な濃度で継続的にティシュペーパー束に香りが付与される。よって、保管期間にかかわらず使用開始時に十分に香りが感じられるものとなる。
【００２２】
また、使用開始後においても、第１香料層も収納箱内に位置しているため第１香料層に起因する香料も一部収納箱内に放散されるとともに、ティシュペーパー束に香りを付与する。このように収納箱内に香料が留まりティシュペーパー束に香りを付与し続けることで、最後のティシュペーパーに至るまでほのかな香りが持続する。また、収納箱内に香料が留まるため、スリットから香料が少しずつ放散されて箱内からほのかに香りが発せられる製品ともなる。
【００２３】
なお、第１香料層の香気と第２香料層の香料を香りが異なるものとすれば、経時的な香気の変化が感じられる製品となる副次的な効果も奏する。
【発明の効果】
【００２４】
以上のとおり、本発明によれば、製造コストが安く、ある程度の保管期間後においても香りが十分に感じられ、しかも、ほのかな香りが継続的に安定して発せられる香り付きティシュペーパー製品が提供される。
【図面の簡単な説明】
【００２５】
【図１】本発明に係る衛生薄葉紙収納箱の斜視図である。
【図２】本発明に係る衛生薄葉紙収納箱の展開図の例である。
【図３】本発明に係る衛生薄葉紙収納箱の特に側短面の構成と取出し口を説明するための斜視図である。
【図４】本発明に係る衛生薄葉紙収納箱の使用時の斜視図である。
【図５】図４のＡ−Ａ断面図である。
【図６】本発明に係るフィルムシートを説明するための箱内側から上面をみた図である。
【発明を実施するための形態】
【００２６】
次いで、本発明の実施の形態を図面を参照しながら以下に詳述する。図１〜６に、本発明に係るティシュペーパー製品１００を示す。
【００２７】
本発明に係るティシュペーパー製品１００は、複数枚のティシュペーパー２ｔ，２ｔ…が、折り畳まれ重層されてなるティシュペーパー束２が、上面１１に取出し口形成用の環状の裂開用ミシン目線２０が形成された収納箱１に収納され、使用時に当該取出し口２０Ｘからティシュペーパー２ｔを取り出すと、隣接して積層されている下層のティシュペーパーの一部が取出し口２０Ｘから露出されるように構成したものである。
【００２８】
本発明に係る収納箱１は、カートン箱やカートンとも呼ばれる直六面体形状の箱体であり、製品外観をなすものである。この収納箱１は、上面１１に取出し口２０Ｘを形成するための環状の裂開用ミシン目線２０を有する紙箱１０と、前記ミシン目線２０により囲まれる範囲２０ａを紙箱内側から覆うフィルムシート３０とを有する。
【００２９】
紙箱１０は、収納箱１の外郭をなす概ね紙製の箱体であり、その大きさ、形状、展開形状等は既知の収納箱の紙箱の構成が採用される。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとすることができる。
【００３０】
また、紙箱１０の基材は、バージンパルプ、古紙パルプ等の各種のパルプを主原料とする既知の紙素材が採用でき、好適な紙箱１０の素材は、坪量２５０〜５００ｇ／ｍ2のコートボール紙である。
【００３１】
本実施形態の紙箱１０の構造は、図２、図３に示すように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。なお、本発明の紙箱１０は、この構造に限定されるわけではない。
【００３２】
他方、紙箱１０の上面に形成される裂開用ミシン目線２０は環状をなし、適宜のカットタイ比で構成される。裂開用ミシン目線２０は、通常のミシン目線の他、二重ミシン目線、ジッパーミシン目線等で構成することができる。一部分のみ二重ミシン目線としてもよい。
【００３３】
本実施形態に係る裂開用ミシン目線２０は、紙箱長手方向に延在する長辺２１，２１とこの長辺２１，２１の端同士を繋ぐ短手縁に平行な短辺２２，２２とを有し、裂開用ミシン目線２０に囲まれる範囲２０ａの形状は、収納箱１の長手方向に沿う方向が長い適宜の形状である。一般的には、収納箱１の長手方向に沿うやや細長い角取り矩形、或いはその矩形の長辺２１，２１の中央部を外方に向かってやや膨張させてアーチ状とし、楕円に近い形状としたものである。図示の形態は後者の例である。
【００３４】
他方、フィルムシート３０は、前記裂開用ミシン目線２０により囲まれる範囲２１ａより大きく、例えば、矩形や楕円形であり、紙箱上面１１の内側面１１ｉにおいて、特に裂開用ミシン目線２０の切り剥がしに影響がないように、環状ミシン目線２０の外側で図示されない接着剤によって接着されている。このフィルムシート３０には、スリット３１が形成されており、このスリット３１は裂開用ミシン目線２０により囲まれる範囲２０ａで長手方向に沿って位置されている。したがって、図３、図４に示すとおり、裂開用ミシン目線２０に沿ってその裂開用ミシン目線２０で囲まれる範囲２０ａを切り剥がすことにより、紙箱上面１１に取出し口２０Ｘが形成されるとともに、前記フィルムシート３０及びそれに形成されたスリット３１が取出し口２０Ｘを介して露出される。
【００３５】
なお、前記スリット３１の長さは、適宜の長さとすることができ、既知の環状ミシン目線２０との大きさの関係で適するとされる長さが採用できる。
【００３６】
収納箱１に束として収納されているティシュペーパー２ｔは、図示例のとおり、前記スリット３１を介して取出し口２０Ｘから一枚ずつ取り出される。そして、当該スリット３１は、取出し口２０Ｘから露出するティシュペーパー２ｔの一部を支持して収納箱内部に落ち込むことを防止する。
【００３７】
ここで、本発明に係るフィルムシート３０は、紙箱底側に対向する面に、第１香料層３０Ａと第２香料層３０Ｂとが設けられている。これらは、ともに収納箱内に収納されているティシュペーパー束２の上面に対面するようにして設けられており、各香料層３０Ａ，３０Ｂから蒸散された香料によってティシュペーパー束に香りが付与されるようになっている。図示例は、フィルムシート基材３０Ｃ上に第２香料層３０Ｂを設け、その第２香料層３０Ｂ上の一部に第１香料層３０Ａを設けて、各香料層３０Ａ，３０Ｂがともにティシュペーパー束２に対面するようにしている。なお、本発明においては、この形態に限定されず、第１香料層３０Ａと第２香料層３０Ｂとを積層することなく領域分けして設けてもよい。
【００３８】
第１香料層３０Ａと第２香料層３０Ｂとは、その香料の徐放性が異なるものであり、本実施形態では、第１香料層３０Ａを、香料を封入したマイクロカプセルを担持させた層として、スリット３１を含むスリット近傍領域に設け、スリット３１を介してティシュペーパー２ｔを引き出す際にティシュペーパー２ｔとの摩擦によってマイクロカプセルが崩壊して内部の香料が蒸散して香りを発するようにし、第２香料層３０Ｂを第１香料層３０Ａに含有する香料よりも揮発性の低い香料を含み、香料が長期間にわたって継続的に蒸散するようにした香料インキで形成した層として、徐放性を異ならしめている。
【００３９】
フィルムシート３０のフィルムシート基材３０Ｃは、ポリエチレンフィルム、ポリプロピレンフィルム、ポリエステルフィルム、塩化ビニリデンフィルム、それらのフィルムを適宜積層したラミネートフィルムが例示できる。好ましくは、ガスバリア性に優れる塩化ビニリデンフィルム或いは塩化ビニリデンフィルム層を含む積層フィルムである。フィルムシート基材をガスバリア性に優れたものとすると、香料層からの香料が裏抜けして紙箱外へ透過し難くなる。このフィルムシート基材３０Ｃの厚みは、１０〜２００μｍが適し、１０μｍ未満では、強度的に不足し、ティシュペーパー２ｔの取り出し時において裂けあるいは破断の確率が高くなり、逆に、２００μｍを超えると、強度の問題はないものの、取り出し難くなり、またコスト高となる。
【００４０】
他方、本実施形態の第１香料層３０Ａは、香料を封入したマイクロカプセルをバインダーに分散させて、グラビア印刷等の適宜の印刷機を用いてフィルムシート基材上或いは第２香料層上に形成して設けることができる。バインダーとしては、でんぷん、ＰＶＡ、ウレタン樹脂、アクリル樹脂を使用でき、第１香料層３０Ａは、これらのバインダーに対して、マイクロカプセルを、例えば２〜２０重量％に分散させたものを、固形分量でたとえば２．３〜２３ｇ／ｍ2の塗布量で塗布して形成することができる。
【００４１】
本実施形態における第１香料層３０Ａに用いるマイクロカプセルの形成方法は、本発明では特に限定されない。コアセルベーション法、インサイチュ法、界面重合法等の化学的方法から適宜選択すればよい。マイクロカプセルの壁材の種類も、特に限定されない。ゼラチン、寒天、各種天然ゲル化剤、グリセリン、アラビアゴム、ポリビニルアルコール、カルボキシメチルセルロースなどを例示することができる。また、マイクロカプセルの構造も特に限定されず、単純単核のものを例示することができる。さらに、マイクロカプセルの平均粒子径も特に限定されず、５〜１５μｍ、好ましくは８〜１０μｍとすることができる。ただし、マイクロカプセルの平均粒子径が小さすぎると、必要かつ十分な香料を含ませることができなくなる。他方、マイクロカプセルの平均粒子径が大きすぎると、塗布液中における混合時や乾燥時などにおいて、カプセル（壁材）が壊れて、香料が流出してしまうおそれがある。このほか、マイクロカプセルの膜厚も特に限定されず、例えば、０．１〜１．０μｍ、好ましくは０．１〜０．５μｍとすることができる。ただし、膜厚が薄すぎると、塗布液中における混合時や乾燥時などにおいて、カプセル（壁材）が壊れて、香料が流出してしまうおそれがある。他方、膜厚が厚すぎると、壁材が壊れにくくなる。マイクロカプセルの芯材（香料）の割合は、通常７０〜９０質量％、好ましくは７５〜８５質量％であるが、香りの強弱に合わせて調整することができる。
【００４２】
また、本実施形態の第１香料層３０Ａでは、異なる粒子径や膜厚のマイクロカプセルを２種以上混合することによって、マイクロカプセルの崩壊をより制御することができる。すなわち、膜厚が薄いと容易に壊れるため、香料の付与が迅速になされ、他方、膜厚が厚いと容易に壊れないため、香料の付与が迅速になされない、という原理などを利用するものである。
【００４３】
他方、本実施形態における第２香料層３０Ｂは、香料を油性溶剤に分散させてバインダーで定着するようにした香料インキをグラビア印刷等の適宜の印刷機を用いてフィルムシート基材に印刷することで形成することができる。本実施形態では、特に第２香料層３０Ｂを、第１香料層３０Ａに含有させる香料よりも揮発性の低い香料を用いたうえ、油性溶剤に香料を分散させる態様の香料インキにより形成することで、緩やかに長期に渡って香りを発するようにしている。第２香料層３０Ｂは、固形分量でたとえば２．３〜２３ｇ／ｍ2の塗布量で塗布して形成するのがよい。ここで、本実施形態における、香料インキは、香料をマイクロカプセルに封入したものを用いたものではなく、香料を直接的に油性溶剤に分散させ、これをバインダーにより定着させるようにしたものである。この種の香料インキは、既知の印刷インキの顔料成分の一部を香料に置き換えてものであり、本実施形態ではこれを利用することができる。バインダーの具体例としては、ヒドロキシプロピルセルロース、カルボキシルメチルセルロース、マレイン酸エステル共重合体等が例示でき、油性溶剤は、プロピレングリコール、エチレングリコール、ジエチレングリコール等のグリコール類、プロピレングリコールメチルエーテル等のエーテル類、フェノキシエタノール等の高級アルコール類、グリセリン脂肪酸エステル等のエステル類が例示できる。
【００４４】
なお、香料インキにシリカを配合したり、香料インキで形成した層の一部を塩化ビニリデンなどのガスバリア樹脂でコートしたりするなどして揮発性をコントロールしてもよい。
【００４５】
ここで、上記第１香料層３０Ａ、第２香料層３０Ｂにおける香料は、特に限定されるものではないが、具体例として、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を挙げることができる。市販品を使用することもできる。
【００４６】
なお、第１香料層３０Ａと第２香料層３０Ｂにおける香料の香りの種類は、同一又は同系統ものであって異なるものであってもよい。第１香料層３０Ａと第２香料層３０Ｂとの香りが異なる場合には、トップノート、ボトムノートのように、ティシュペーパー製品１００の使用開始から使用終了に掛けて、香りが変化するようになり、その変化を感じられる製品となる。
【００４７】
他方、本発明の収納箱１においては、上述のとおりティシュペーパー束２に対面するようにしてフィルムシート３０に第１香料層３０Ａと第２香料層３０Ｂとを設け、各香料層３０Ａ，３０Ｂから蒸散された香料によってティシュペーパー束２に香りを付与するようにしているため、紙箱１０自体に香料が吸収されたり、紙箱１０を透過して香料が漏出しないようにして、ティシュペーパー束２に香りが確実に付与されるようにすべく、少なくとも紙箱１０の上面１１の内側面１１ｉをガスバリア性樹脂又はガスバリア性シートにより被覆するのが望ましい（図中、ガスバリア樹脂層を符号５０で示す）。未使用時においてティシュペーパー束２と紙箱上面１１の内側面１１ｉとの間に空間が存在する場合には、紙箱１０の短側面１４及び長側面１３の少なくとも一方についても、未使用時におけるティシュペーパー束２の上面よりも紙箱底面側位置に至るまでガスバリア性樹脂等によって被覆するのがよい。なお、この場合、香料の紙箱１０への吸収や透過を抑制する点では短側面１４、長側面１３の双方に設けるのがよいが、短側面１４が各フラップＦ，Ｆ…により組立てられることを考慮して、製造の容易性を重視するのであれば、面積の広い長側面１３のみでも効果を奏する。もちろん、底面も含め紙箱の内面すべてをガスバリア性樹脂等で被覆してもよい。
【００４８】
このように上面等をガスバリア性樹脂等で被覆すると、例えば、本実施形態であれば、第２香料層から蒸散した香料が、未使用時においては少なくともティシュペーパー束を透過しない限り、紙箱に対して吸収されたり、紙箱を透過したりしない。香料は、ティシュペーパー束を透過する過程でティシュペーパー束に多くが付着されるため、確実にティシュペーパー束に香りが付与され、長期に渡って保管されても香りが低下することがない。
【００４９】
紙箱１０の当該所定位置をガスバリア樹脂等で被覆する方法は、紙箱組立て前のカートンブランクに対してガスバリア性樹脂を塗布したり、ガスバリア性シートを貼付して積層したりすればよい。ここで、ガスバリア性樹脂としては、エチレン／ビニル共重合体、ポリアクリロニトリル、ポリ塩化ビニル、塩化ビニリデン等が例示でき、ガスバリア性シートとしては、上記ガスバリア性樹脂からなるフィルムシートやこれらの樹脂層を含むラミネートシート、さらに、アルミラミネート層やアルミ蒸着層を有するラミネートフィルムシートが例示できる。好ましくは、製造が容易でありかつコスト安である、塩化ビニリデン樹脂膜を形成するものである。
【００５０】
他方、本発明に係るティシュペーパー束２は、方形のティシュペーパー２ｔが実質的に二つ折りされ、その折り返し片の縁が上下に隣接するティシュペーパーの折り返し内面に位置するようにして、互い違いに重なり合いつつ積層されたものである。なお、ここで実質的にとは、製造上の形成される縁部の若干の折り返しを許容する意味である。
【００５１】
この積層構造のティシュペーパー束２は、最上位に位置する一枚の折り返し片を上方に引き上げると、その直下で隣接する他の一枚の折り返し片が、摩擦により上方に引きずられて持ち上げられる。そして、かかる構造のティシュペーパー束２は、その最上面が上述の上面１１に取出し口２０Ｘを有する収納箱１の当該上面に向かいあって収納され、前記取出し口２０Ｘ、特にスリット３１から最初の一組（最上面に位置する一組）が引き出されたときに、その直近下方に位置する他の一組の一部が露出される。なお、本発明のおけるティシュペーパー２ｔの積層枚数が限定されないが、この種の製品の一般的な積層枚数を例示すれば、１２０〜２４０組である。
【００５２】
このティシュペーパー束２は、マルチスタンド式、ロータリ式の既知のインターフォルダにより製造することができる。
【００５３】
他方、ティシュペーパー束２を構成するティシュペーパー２ｔは、２枚〜３枚の薄葉紙が積層されたプライ構造を有している。
【００５４】
その薄葉紙の原料パルプとしては、ＮＢＫＰとＬＢＫＰとを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００５５】
本発明に係るティシュペーパー２ｔの各プライを構成する薄葉紙１枚あたりの米坪は、好ましくは１０〜２５ｇ／ｍ2、より好ましくは１１〜１６ｇ／ｍ2である。米坪が１０ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００５６】
他方、本発明に係るティシュペーパーの紙厚は、２プライの状態で１００〜１４０μｍ、より好ましくは１２０〜１４０μｍであるのが望ましい。紙厚が１００μｍ未満では、柔らかさの向上の観点からは好ましいものの、ティシュペーパーとしての強度を適正に確保することが困難となる。また、１４０μｍ超では、ティシュペーパーの肌触りが悪化するとともに、使用時にゴワツキ感が生じるようになる。
【００５７】
紙厚の測定方法としては、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて２プライの状態で測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。なお、紙厚は測定を１０回行って得られる平均値とする。
【符号の説明】
【００５８】
１００…ティシュペーパー製品、１…収納箱、２…ティシュペーパー束、２ｔ…ティシュペーパー、１０…紙箱、１１…収納箱（紙箱）上面、１１ｉ…収納箱（紙箱）上面の内側面、１２…収納箱（紙箱）底面、１２Ａ…糊代部、１３…収納箱（紙箱）長側面、１４…収納箱（紙箱）短側面、Ｆ…フラップ、Ｌ１…収納箱の長手縁、Ｌ２…収納箱の短手縁、Ｌ３…収納箱の高さ、２０…裂開用ミシン目線、２１…裂開用ミシン目線の長辺、２２…裂開用ミシン目線の短辺、２０ａ…取出し口形成部（裂開用ミシン目線で囲まれる範囲）、２０Ｘ…取出し口、３０…フィルムシート、３１…スリット、３０Ａ…第１香料層、３０Ｂ…第２香料層、３０Ｃ…フィルムシート基材、５０…ガスバリア性樹脂層。
【図１】
0005988350.tif 000002
【図２】
0005988350.tif 000003
【図３】
0005988350.tif 000004
【図４】
0005988350.tif 000005
【図５】
0005988350.tif 000006
【図６】
0005988350.tif 000007